(57)【要約】【課題】無線通信モジュールの送信電力を制御することなく、電波の輻射による人体への影響を低減することができる情報処理装置を実現する。【解決手段】本コンピュータ１００は、アンテナ２１０と、このアンテナ２１０の共振周波数帯域を第１の共振周波数帯域とこの第１の共振周波数帯域よりも高い第２の共振周波数帯域との間で切り替えるスイッチ回路２１０とを含む。コンピュータ１００のユーティリティプログラム１１３Ａは、ＬＣＤ２０１に表示される画面イメージの向きがその画面イメージの下方側にアンテナ２１０が位置する向きである場合、スイッチ回路２１０を制御することによってアンテナ２１０の共振周波数帯域を第１の共振周波数帯域から第２の共振周波数帯域に自動的にシフトさせる。【選択図】図１
2011119795.tif 000002
【特許請求の範囲】
【請求項１】
アンテナを含むディスプレイユニットを備えた情報処理装置であって、
前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ回路と、
前記第１の送信周波数帯域および前記第１の受信周波数帯域を用いて、信号を無線送信および無線受信する無線通信モジュールと、
前記ディスプレイユニットの表示画面に表示される画面イメージの向きを変更する画面イメージ向き制御手段と、
前記表示画面に表示される画面イメージの向きが、前記画面イメージの下方側に前記アンテナが位置する向きである場合、前記スイッチ回路を制御することによって前記アンテナの共振周波数帯域を前記第１の共振周波数帯域から前記第２の共振周波数帯域にシフトさせる共振周波数シフト手段とを具備することを特徴とする情報処理装置。
【請求項２】
前記第２の共振周波数帯域内の低周波数側の端部領域の少なくとも一部は、前記第１の送信周波数帯域にオーバーラップしていることを特徴とする請求項１記載の情報処理装置。
【請求項３】
前記無線通信モジュールは、さらに、前記第２の共振周波数帯域内にそれぞれ含まれる第２の送信周波数帯域および第２の受信周波数帯域を用いて信号を無線送信および無線受信するように構成されていることを特徴とする請求項１記載の情報処理装置。
【請求項４】
重力に対する前記情報処理装置の向きを検出する加速度センサをさらに具備し、
前記画面イメージ向き制御手段は、前記検出された前記重力に対する前記情報処理装置の向きに従って前記画面イメージの向きを変更するように構成され、
前記共振周波数シフト手段は、前記変更される画面イメージの向きが、前記画面イメージの下方側に前記アンテナが位置する向きである場合、前記アンテナの共振周波数帯域を前記第１の共振周波数帯域から前記第２の共振周波数帯域にシフトさせることを特徴とする請求項１記載の情報処理装置。
【請求項５】
本体と、
前記本体に取り付けられ、アンテナを含むディプレイユニット、
前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ回路と、
前記第１の送信周波数帯域および前記第１の受信周波数帯域を用いて、信号を無線送信および無線受信する無線通信モジュールと、
前記ディスプレイユニットの表示画面に表示される画面イメージの向きを変更する画面イメージ向き制御手段と、
前記ディスプレイユニットが前記ディスプレイユニットの背面が前記本体の上面を覆う位置に設定され、且つ、前記表示画面に表示される画面イメージの向きが、前記画面イメージの下方側に前記アンテナが位置する向きであるという条件が成立しているか否かを判定し、前記条件が成立している場合、前記スイッチ回路を制御することによって前記アンテナの共振周波数帯域を前記第１の共振周波数帯域から前記第２の共振周波数帯域にシフトさせる共振周波数シフト手段とを具備することを特徴とする情報処理装置。
【請求項６】
前記第２の共振周波数帯域内の低周波数側の端部領域の少なくとも一部は、前記第１の送信周波数帯域にオーバーラップしていることを特徴とする請求項５記載の情報処理装置。
【請求項７】
前記無線通信モジュールは、さらに、前記第２の共振周波数帯域内にそれぞれ含まれる第２の送信周波数帯域および第２の受信周波数帯域を用いて信号を無線送信および無線受信するように構成されている請求項５記載の情報処理装置。
【請求項８】
アンテナを含むディスプレイユニットを備え、第１の送信周波数帯域および前記第１の送信周波数帯域よりも高い第１の受信周波数帯域を用いて、信号を無線送信および無線受信する情報処理装置の動作を制御する制御方法であって、
前記ディスプレイユニットの表示画面に表示される画面イメージの向きを変更するステップと、
前記表示画面に表示される画面イメージの向きが、前記画面イメージの下方側に前記アンテナが位置する向きである場合、前記アンテナの共振周波数帯域を、前記第１の送信周波数帯域および前記第１の受信周波数帯域をカバーする第１の共振周波数帯域から、前記第１の共振周波数帯域の一部にオーバーラップし且つ第１の共振周波数帯域よりも高い第２の共振周波数帯域にシフトさせるステップとを具備することを特徴とする制御方法。
【請求項９】
前記第２の共振周波数帯域内の低周波数側の端部領域の少なくとも一部は、前記第１の送信周波数帯域にオーバーラップしていることを特徴とする請求項８記載の制御方法。
【請求項１０】
前記情報処理装置は、さらに、前記第２の共振周波数帯域内にそれぞれ含まれる第２の送信周波数帯域および第２の受信周波数帯域を用いて信号を無線送信および無線受信するように構成されていることを特徴とする請求項８記載の制御方法。
【発明の詳細な説明】
【技術分野】
【０００１】
本発明はアンテナを含むディスプレイユニットを有する情報処理装置および同装置に適用される制御方法に関する。
【背景技術】
【０００２】
近年、ノートブック型等の様々な携帯型パーソナルコンピュータが開発されている。この種の携帯型パーソナルコンピュータの多くは、モバイル環境において例えばインターネット上のサーバのような外部デバイスとの無線通信を実行できるようにするために無線通信機能を有している。携帯型パーソナルコンピュータにおいては、通常、アンテナは、ディスプレイユニット内に設けられている。
【０００３】
また最近では、移動無線通信方式で使用可能なチャネルの増加または無線通信方式の種類の増加に伴い、複数のアンテナを搭載した携帯型パーソナルコンピュータも開発されている。
【０００４】
アンテナを有するコンピュータのような情報処理装置においては、人体が吸収する電磁波のエネルギーの度合いを表す物理量である比吸収率（SAR: Specific Absorption Rate）を低減することが要求されている。
【０００５】
特許文献１には、SARを低減する機能を有するコンピュータが開示されている。このコンピュータは、アンテナが実装されたディスプレイユニットを備えている。このコンピュータは、ディスプレイユニット内の表示部に表示される画像の向きを変更することができる。さらに、このコンピュータにおいては、表示部に表示される画像の下方向にアンテナが位置するか否かが判定され、画像の下方向にアンテナが位置する場合にはアンテナからの電波の輻射を抑制する制御が実行される。
【先行技術文献】
【特許文献】
【０００６】
【特許文献１】特開２００７−２３５３２９号公報
【発明の概要】
【発明が解決しようとする課題】
【０００７】
しかし、アンテナからの電波の輻射を抑制できるようにするためには、送信電力を必要に応じて抑制するという特別な機能を無線通信モジュール側に付加することが必要になる。このような特別な機能を有する無線通信モジュールの実現には多くの時間およびコストを要する。
【０００８】
本発明は上述の事情を考慮してなされたものであり、無線通信モジュールを制御することなく、電波の輻射による人体への影響を低減することができる情報処理装置および制御方法を提供することを目的とする。
【課題を解決するための手段】
【０００９】
上述の課題を解決するために、本発明は、アンテナを含むディスプレイユニットを備えた情報処理装置であって、前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ回路と、前記第１の送信周波数帯域および前記第１の受信周波数帯域を用いて、信号を無線送信および無線受信する無線通信モジュールと、前記ディスプレイユニットの表示画面に表示される画面イメージの向きを変更する画面イメージ向き制御手段と、前記表示画面に表示される画面イメージの向きが、前記画面イメージの下方側に前記アンテナが位置する向きである場合、前記スイッチ回路を制御することによって前記アンテナの共振周波数帯域を前記第１の共振周波数帯域から前記第２の共振周波数帯域にシフトさせる共振周波数シフト手段とを具備することを特徴とする。
【００１０】
また、本発明の情報処理装置は、本体と、前記本体に取り付けられ、アンテナを含むディプレイユニットと、前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ回路と、前記第１の送信周波数帯域および前記第１の受信周波数帯域を用いて、信号を無線送信および無線受信する無線通信モジュールと、前記ディスプレイユニットの表示画面に表示される画面イメージの向きを変更する画面イメージ向き制御手段と、前記ディスプレイユニットが前記ディスプレイユニットの背面が前記本体の上面を覆う位置に設定され、且つ、前記表示画面に表示される画面イメージの向きが、前記画面イメージの下方側に前記アンテナが位置する向きであるという条件が成立しているか否かを判定し、前記条件が成立している場合、前記スイッチ回路を制御することによって前記アンテナの共振周波数帯域を前記第１の共振周波数帯域から前記第２の共振周波数帯域にシフトさせる共振周波数シフト手段とを具備することを特徴とする。
【発明の効果】
【００１１】
本発明によれば、無線通信モジュールを制御することなく、電波の輻射による人体への影響を低減することができる。
【図面の簡単な説明】
【００１２】
【図１】本発明の一実施形態に係る情報処理装置の外観を示す斜視図。
【図２】同実施形態の情報処理装置がタブレットモードである時に使用できる２つの表示モードを説明するための図。
【図３】同実施形態の情報処理装置がタブレットモードである時に使用できる別の２つの表示モードを説明するための図。
【図４】同実施形態の情報処理装置の画面イメージの下方側にアンテナが位置する使用形態の例を示す図。
【図５】同実施形態の情報処理装置によって実行される、アンテナの共振周波数をシフトする動作の例を説明するための図。
【図６】同実施形態の情報処理装置によって実行される、アンテナの共振周波数をシフトする動作の別の例を説明するための図。
【図７】同実施形態の情報処理装置のシステム構成の例を示すブロック図。
【図８】同実施形態の情報処理装置に設けられるアンテナの構成例を示す図。
【図９】同実施形態の情報処理装置によって実行される画面イメージ向き制御動作を説明するための図。
【図１０】同実施形態の情報処理装置によって実行されるアンテナ共振周波数シフト処理の手順の第１の例を説明するフローチャート。
【図１１】同実施形態の情報処理装置によって実行されるアンテナ共振周波数シフト処理の手順の第２の例を説明するフローチャート。
【図１２】同実施形態の情報処理装置によって実行されるアンテナ共振周波数シフト処理の手順の第３の例を説明するフローチャート。
【発明を実施するための形態】
【００１３】
以下、図面を参照して、本発明の実施形態を説明する。  
図１には、本発明の一実施形態に係る情報処理装置の外観が示されている。この情報処理装置はポータブルパーソナルコンピュータ１００として実現されている。このコンピュータ１００はいわゆる“コンパーチブル型タブレットＰＣ”として機能するように構成されており、“ＰＣスタイル”および“タブレットスタイル”の双方のスタイルで使用することができる。“ＰＣスタイル”は、ディスプレイユニットの表示画面および本体上面上のキーボードが共に露出される使用形態である。“タブレットスタイル”は、表示画面が露出され、ディスプレイユニットの背面が本体上面上を覆う使用形態である。
【００１４】
このコンピュータ１００は、ディスプレイユニット２００と、コンピュータ本体（単に本体ともいう）３００とから構成されている。ディスプレイユニット２００には、タッチスクリーンデバイスとして機能するＬＣＤ（Liquid Crystal Display）２０１が組み込まれており、そのＬＣＤ２０１の表示画面はディスプレイユニット２００のほぼ中央に位置されている。
【００１５】
ディスプレイユニット２００は、コンピュータ本体３００にヒンジ部１２０を介して回動自在に取り付けられている。ヒンジ部１２０は、コンピュータ本体３００の上面に平行に延びた第１の軸１２０ａと、第１の軸１２０ａに垂直に延びた第２の軸１２０ｂとの２つの軸を有している。ディスプレイユニット２００は、第１の軸１２０ａの回りでディスプレイユニット２００が回動するようにコンピュータ本体３００に取り付けられている。換言すれば、ディスプレイユニット２００は、コンピュータ本体３００の上面が露出される開放位置とコンピュータ本体３００の上面がディスプレイユニット２００によって覆われる閉塞位置との間を第１の軸１２０ａの回りで回動することができる。さらに、ディスプレイユニット２００は、第２の軸１２０ｂの回りで１８０度回動することもできる。換言すれば、ディスプレイユニット２００は、ＬＣＤ２０１の表示画面がコンピュータ１００の正面側を向く第１の位置（ディスプレイユニットの回転角度は０度）とディスプレイユニット２００の背面がコンピュータ１００の正面側を向く第２の位置（ディスプレイユニットの回転角度は１８０度）との間を第２の軸１２０ｂの回りで回動することができる。
【００１６】
ディスプレイユニット２００が第２の軸１２０ｂの回りで１８０度回転され、且つ、ディスプレイユニット２００が閉じられた状態、つまり、ディスプレイユニット２００の背面がコンピュータ本体３００の上面を覆う位置に設定された状態が、上述の“タブレットスタイル”に相当する。
【００１７】
ディスプレイユニット２００の表面上の例えば左下部には、各種入力ボタンを含む操作パネル１４が配置されている。“タブレットスタイル”においても、ユーザは、操作パネル１４内のボタンを操作することにより様々なイベントを入力することができる。
【００１８】
ディスプレイユニット２００内部には、アンテナ２１０が設けられている。アンテナ２１０は、矩形形状のディスプレイユニット２００のある一端部に設けられる。図１においては、ディスプレイユニット２００の右端部にアンテナ２１０が設けられている例が示されている。アンテナ２１０には図７以降で後述するスイッチ回路が付加されている。アンテナ２１０とこのスイッチ回路は、共振周波数帯域を変更可能なリコンフィグラブルアンテナとして機能する。すなわち、スイッチ回路は、アンテナ２１０の共振周波数帯域を第１の共振周波数帯域と第２の共振周波数帯域との間で切り替えることができる。アンテナ２１０は、ヒンジ１２０を介して本体３００からディスプレイユニット２００に導出される給電線５０に接続される。
【００１９】
コンピュータ本体３００は薄い箱形の筐体を有するベースユニットであり、その上面にはキーボード３０１、およびタッチパッド３０２などが配置されている。また、コンピュータ本体３００内部には、各種電子部品が設けられたシステム基板（マザーボードとも云う）が設けられている。このシステム基板上には、無線通信モジュール３１０が設けられている。
【００２０】
無線通信モジュール３１０は、送信周波数帯域とこの送信周波数帯域よりも高い受信周波数帯域とを用いて、周波数分割多重方式で信号を無線送信および無線受信する。無線通信モジュール３１０は、例えば、第３世代移動通信方式(３G)に従って外部デバイスとの無線通信を実行する無線通信モジュールとして実現されている。無線通信モジュール３１０は、例えば、システム基板上に設けられたバススロットに接続される。第３世代移動通信方式(３G)においては、例えば、８５０Ｍｈｚ帯域（８２Ｍｈｚ４〜８９４Ｍｈｚ）または９００Ｍｈｚ帯域（８８０Ｍｈｚ〜９６０Ｍｈｚ）が用いられる。８５０Ｍｈｚ帯域は例えば日本国、米国等で用いられ、９００Ｍｈｚ帯域は例えばヨーロッパで用いられている。システム基板上のバススロットに接続された無線通信モジュール３１０は、例えば、様々な仕向地にそれぞれ対応する複数の周波数帯域に対応したワールドワイド無線通信モジュールとして実現されている。これら複数の周波数帯域の各々には、送信周波数帯域と受信周波数帯域とのペアが定義されている。すなわち、無線通信モジュール３１０は、８５０Ｍｈｚ帯域内に定義された送信周波数帯域と受信周波数帯域とのペアを用いて信号を無線送信および無線受信する事が出来るほか、９００Ｍｈｚ帯域内に定義された送信周波数帯域と受信周波数帯域とのペアを用いて信号を無線送信および無線受信することもできる。８５０Ｍｈｚ帯域または９００Ｍｈｚ帯域のいずれが用いられるかは、本コンピュータ１００の仕向地によって決定し得る。
【００２１】
スイッチ回路が付加されたアンテナ２１０の共振周波数帯域は、例えば、８５０Ｍｈｚ帯域をカバーする共振周波数帯域と、９００Ｍｈｚ帯域をカバーする共振周波数帯域との間で切り替えることが出来る。これにより、本コンピュータ１００は、様々な仕向地に対応することが出来る。
【００２２】
なお、本コンピュータ１００に、第１および第２の２つの無線通信方式それぞれに対応する２つ無線通信モジュールを搭載してもよい。この場合には、これら２つの無線通信方式それぞれに対応する２つの周波数帯域をリコンフィグラブルアンテナによってカバーするようにしても良い。この場合、ユーザが使用する無線通信方式の種類に応じて、アンテナ２１０の共振周波数帯域を、第１の無線通信方式で使用される周波数帯域をカバーする第１の共振周波数帯域と、第２の無線通信方式で使用される周波数帯域をカバーする第２の共振周波数帯域との間で切り替えればよい。
【００２３】
以下では、本コンピュータ１００が、８５０Ｍｈｚ帯域が使用される地域で使用される場合を想定する。
【００２４】
給電線５０は同軸ケーブルのような一本のケーブルから構成されており、このケーブルはヒンジ部１２０内部の空間を通される。このケーブルは、ヒンジ部１２０を介してコンピュータ本体３００からディスプレイユニット２００に導出される。
【００２５】
本実施形態のコンピュータ１００は、ディスプレイユニット２００のＬＣＤ２０１の表示画面に表示される画面イメージの向きを変更する機能を有している。この画面イメージ向き変更機能は、“タブレットスタイル”時においてユーザが以下の４種類のディスプレイユニット２００の向きを使用することを可能にする。
【００２６】
図２および図３は、“タブレットスタイル”で使用可能な表示モードの種類を説明するための図である。図２および図３に示されるように、“タブレットスタイル”においてはＬＣＤ２０１に表示される画面イメージの向きによって４種類の表示モードを使用し得る。表示モードは、「ランドスケープ」モード（横長表示）と「ポートレート」モード（縦長表示）とに大別される。
【００２７】
図２に示されているように、「ランドスケープ」モードにはランドスケープモードＡとランドスケープモードＢの２つのモードがある。ランドスケープモードＡでは、画面イメージは、その画面イメージの上端側がディスプレイユニット２００の上端側に位置し、その画面イメージの下端側がディスプレイユニット２００の下端側に位置する向きに設定される。ランドスケープモードＢでは、画面イメージの向きは、ランドスケープモードＡにおける画面イメージの向きに対して１８０度回転される。すなわち、ランドスケープモードＢでは、画面イメージは、その画面イメージの上端側がディスプレイユニット２００の下端側に位置し、その画面イメージの下端側がディスプレイユニット２００の上端側に位置する向きに設定される。
【００２８】
図３に示されているように、「ポートレート」モードにはポートレートモードＡとポートレートモードＢの２つのモードがある。ポートレートモードＡでは、画面イメージは、その画面イメージの上端側がディスプレイユニット２００の右端側に位置し、その画面イメージの下端側がディスプレイユニット２００の左端側に位置する向きに設定される。ポートレートモードＢでは、画面イメージの向きは、ポートレートモードＡにおける画面イメージの向きに対して１８０度回転される。すなわち、ポートレートモードＢでは、画面イメージは、その画面イメージの上端側がディスプレイユニット２００の左端側に位置し、その画面イメージの下端側がディスプレイユニット２００の右端側に位置する向きに設定される。
【００２９】
ポートレートモードＢが使用された場合は、図４に示すように、ディスプレイユニット２００の右端側がユーザに腹部に密着する状態でコンピュータ１００がユーザによって使用される可能性がある。本実施形態においては、アンテナ２１０はディスプレイユニット２００の右端側に配置されているので、図４の使用形態は、アンテナ２１０からの電波の輻射がユーザに与える影響が大きい使用形態であるといえる。３Ｇのような移動無線通信方式で使用される送信電力は比較的大きいので、図４の使用形態においては、電波の輻射を抑制する事が必要である。
【００３０】
図４の使用形態は、本コンピュータ１００が“タブレットスタイル”で使用され、且つ画面イメージの向きがその画面イメージの下方側にアンテナ２１０が位置する向きであるという条件が成立した場合に起こりうる。
【００３１】
本実施形態のコンピュータ１００は、アンテナ２１０からの電波の輻射がユーザに与える影響を低減するために、アンテナ２１０の共振周波数を自動的に高域側（受信帯域側）にシフトさせる機能を有している。この共振周波数シフト機能は、アンテナ２１０の共振周波数帯域を上述の第１の共振周波数帯域から上述の第２の共振周波数帯域にシフトさせることによって実現される。第２の共振周波数帯域は第１の共振周波数帯域よりも高い周波数範囲をカバーし、且つ第１の共振周波数帯域の一部にオーバーラップしている。
【００３２】
図５は、アンテナ２１０の周波数特性の例を表したものである。通常時は、アンテナ２１０の共振周波数帯域は第１の共振周波数帯域に設定される。この場合、実線で示すように、アンテナ２１０は、周波数分割多重方式で無線通信を行う無線通信モジュール３１０によって使用される送信周波数帯域および受信周波数帯域の両方をカバーする。送信周波数帯域におけるアンテナ２１０の利得と受信周波数帯域におけるアンテナ２１０の利得はほぼ同レベルである。
【００３３】
本コンピュータ１００は、本コンピュータ１００が“タブレットスタイル”で使用され、且つ画面イメージの向きがその画面イメージの下方側にアンテナ２１０が位置する向きである場合、アンテナ２１０の共振周波数を点線で示すように高域側（受信周波数帯域側）にシフトさせる。より詳しくは、本コンピュータ１００は、アンテナ２１０の共振周波数帯域を第１の共振周波数帯域から、点線で示される特性曲線に対応する第２の共振周波数帯域にシフトさせる。これにより、送信周波数帯域におけるアンテナ２１０の利得を低下させることができ、無線通信モジュール３１０の送信電力自体を何ら制御することなく、アンテナ２１０からの電波の輻射量を低減することができる。
【００３４】
第２の共振周波数帯域は、第１の共振周波数帯域の一部にオーバーラップし、且つ第１の共振周波数帯域よりも高い周波数範囲をカバーしている。送信周波数帯域は受信周波数帯域よりも低い周波数範囲に存在する。したがって、アンテナ２１０の共振周波数帯域を第１の共振周波数帯域から第２の共振周波数帯域にアップさせることにより、送信周波数帯域におけるアンテナ２１０の利得を下げることができる。
【００３５】
上述したように、送信周波数帯域は受信周波数帯域よりも低いので、もしアンテナ２１０の共振周波数帯域を下げる方向にシフトするという方法を用いたならば、送信周波数帯域のアンテナ利得を下げるために必要な共振周波数のシフト量は非常に大きくなる。
【００３６】
本実施形態では、アンテナ２１０の共振周波数帯域を上げる方向にシフトしているので、第２の周波数帯域としては、第１の周波数帯域の一部にオーバーラップする周波数帯域を利用することが出来る。換言すれば、少ない共振周波数シフト量で、効率よくアンテナ２１０からの電波の輻射量を抑制することができる。
【００３７】
通常、アンテナ周波数特性においては、アンテナの利得は、共振周波数帯域内の中央領域で最も高い。共振周波数帯域内の低周波数側の端部領域および共振周波数帯域内の端部領域では、アンテナの利得は低下される。図５に示されているように、本実施形態においては、アンテナ２１０の共振周波数は、第２の共振周波数帯域内の低周波数側の端部領域の少なくとも一部が送信周波数帯域にオーバーラップするように、高域側にシフトされる。このようにアンテナの利得が低い低周波数側の端部領域を送信周波数帯域にオーバーラップさせることにより、アンテナ２１０からの電波の輻射量を低減することができる。
【００３８】
通常は、無線通信可能なアンテナ利得、換言すれば、例えば−５ｄｂ以上のアンテナ効率、を得ることが可能な周波数範囲が、そのアンテナの共振周波数帯域となる。しかし、本実施形態では、第２の共振周波数帯域内の低周波数側の端部領域のアンテナ利得は、無線通信可能な通常のアンテナ効率（例えば−５ｄｂ以上のアンテナ効率）よりも１０ｄｂ程度低い値であってもよい。この意味で、本実施形態では、例えば−１５ｄｂ以上のアンテナ効率を得ることが可能な周波数範囲が、アンテナの共振周波数帯域として用い得る。
【００３９】
共振周波数のシフト後は、アンテナ２１０は、点線で示されているように、送信周波数帯域におけるアンテナ利得に比べ受信周波数帯域におけるアンテナ利得が高いという特性を有することになる。この結果、無線通信モジュール３１０の送信電力自体を何ら制御することなく、アンテナ２１０からの電波の輻射量を低減することができる。共振周波数のシフト後も、送信周波数帯域におけるアンテナ２１０の利得はゼロよりも高く維持することが出来る。また、受信周波数帯域におけるアンテナ２１０の利得も、共振周波数のシフト前と同じ良好な値に維持することができる。よって、共振周波数のシフト後においても、極端に電波環境が悪い地域を除く多くの地域においては、コンピュータ１００は無線通信を正常に行うことができる。
【００４０】
図６には、アンテナ２１０の周波数特性の具体例が示されている。ここでは、アンテナ２１０が、その共振周波数を、上述の８５０Ｍｈｚ帯域をカバーする第１の共振周波数と上述の９００Ｍｈｚ帯域をカバーする第２の共振周波数との間で変更可能なリコンフィグラブルアンテナとして実現されている場合を想定する。アンテナ２１０の共振周波数帯域は、アンテナ２１０に結合されたスイッチ回路（共振周波数移動回路）を用いて第１の共振周波数帯域（８５０Ｍｈｚ帯域）と第２の共振周波数帯域（９００Ｍｈｚ帯域）との間で切り替えることができる。
【００４１】
８５０Ｍｈｚ帯域においては、送信周波数帯域Ａ（８２４Ｍｈｚ〜８４９Ｍｈｚ）と受信周波数帯域Ａ（８６９Ｍｈｚ〜８９４Ｍｈｚ）とが定義されている。９００Ｍｈｚ帯域においては、送信周波数帯域Ｂ（８８０Ｍｈｚ〜９１５Ｍｈｚ）と受信周波数帯域Ｂ（９２５Ｍｈｚ〜９６０Ｍｈｚ）とが定義されている。
【００４２】
通常時は、アンテナ２１０の共振周波数は第１の共振周波数に設定されており、アンテナ２１０によってカバーされる周波数帯域（共振周波数帯域）は実線で示す第１の周波数帯域に設定される。第１の周波数帯域は、少なくとも送信周波数帯域Ａ（８２４Ｍｈｚ〜８４９Ｍｈｚ）と受信周波数帯域Ａ（８６９Ｍｈｚ〜８９４Ｍｈｚ）とをカバーする。上述のスイッチ回路によってアンテナ２１０の共振周波数帯域が第１の共振周波数帯域から第２の共振周波数帯域に切り替えられた場合、アンテナ２１０によってカバーされる周波数帯域（共振周波数帯域）は、点線で示す第２の周波数帯域に変更される。第２の周波数帯域は、少なくとも送信周波数帯域Ｂ（８８０Ｍｈｚ〜９１５Ｍｈｚ）および受信周波数帯域Ｂ（９２５Ｍｈｚ〜９６０Ｍｈｚ）をカバーする。さらに、第２の周波数帯域内の低周波数側の端部領域の少なくとも一部は、送信周波数帯域Ａ（８２４Ｍｈｚ〜８４９Ｍｈｚ）にオーバーラップしている。よって、アンテナ２１０が第２の周波数帯域に設定された場合には、送信周波数帯域Ａにおけるアンテナ２１０の利得は下がるので、送信周波数帯域Ａに属する信号を無線送信する線通信モジュール３１０の送信電力自体を何ら制御することなく、アンテナ２１０からの電波の輻射量を低減することができる。
【００４３】
次に、図７を参照して、コンピュータ１００のシステム構成の例を説明する。  
コンピュータ１００の本体３００は、ＣＰＵ１１１、ノースブリッジ１１２、主メモリ１１３、グラフィクスコントローラ１１４及びサウスブリッジ１１５を含む。本体３００はまた、ＢＩＯＳ−ＲＯＭ１２０、ハードディスクドライブ（ＨＤＤ）１３０、光ディスクドライブ（ＯＤＤ）１４０、エンベデッドコントローラ／キーボードコントローラＩＣ（ＥＣ／ＫＢＣ）１６０、および電源回路１７０を含んでいる。
【００４４】
ＣＰＵ１１１は、コンピュータ１００の動作を制御するプロセッサである。このＣＰＵ１１１は、ＨＤＤ１３０から主メモリ１１３にロードされる、オペレーティングシステム、ユーティリティプログラム１１３Ａ、および各種アプリケーションプログラムを実行する。ユーティリティプログラム１１３Ａは、画面イメージの向きおよびアンテナ２１０の共振周波数を制御するためのプログラムである。またＣＰＵ１１１は、ＢＩＯＳ−ＲＯＭ１２０に格納されたシステムＢＩＯＳ（Basic Input Output System）も実行する。システムＢＩＯＳはハードウェア制御などを行うプログラムである。
【００４５】
ノースブリッジ１１２は、ＣＰＵ１１１のローカルバスとサウスブリッジ１１５との間を接続するブリッジデバイスである。ノースブリッジ１１２には、主メモリ１１３をアクセス制御するメモリコントローラも内蔵されている。また、ノースブリッジ１１２は、グラフィクスコントローラ１１４との通信を実行する機能も有している。
【００４６】
グラフィクスコントローラ１１４は、ＬＣＤ２０１を制御する表示コントローラである。ＬＣＤ２０１は、例えば、ペン又は指によってタッチされた位置を検知可能なタッチスクリーンデバイスとして実現されている。すなわち、ＬＣＤ２０１上には、タブレットまたはタッチパネルなどと称される透明な座標検出部２０１Ａが配置されている。サウスブリッジ１１５は、ＬＰＣ（Low Pin Count）バスを介してＥＣ／ＫＢＣ１６０に接続されている。
【００４７】
ＥＣ／ＫＢＣ１６０は、電源管理のためのエンベデッドコントローラと、キーボード（ＫＢ）３０１及びタッチパッド３０２などを制御するキーボードコントローラとが単一チップに集積されたマイクロコンピュータである。ＥＣ／ＫＢＣ１６０は、電源回路１７０と協調して動作することにより、ユーザによる操作パネル１４内のパワーボタンの操作に応答して、コンピュータ１００を電源オンする電源制御機能を有している。電源回路１７０は、バッテリ１７１からの電力またはＡＣアダプタ１７２からの電力を用いて、本体３００内の各要素に供給すべき電力を生成する。また、ＥＣ／ＫＢＣ１６０は、加速度センサ１５、パネルスイッチ１６、おわび回転角センサ１７にも接続されている。
【００４８】
加速度センサ１５は、ディスプレイユニット２００内または本体３００内に設けられ、重力に対するコンピュータ１００の向きを検出する。この加速度センサ１５は、例えば、本コンピュータ１００が“タブレットスタイル”である場合に、重力の向きに対するディスプレイユニット２００の向き（コンピュータ１００の向き）を検出するために用いられる。パネルスイッチ１６は、ディスプレイユニット２００が閉じられているか否かを検出するためのスイッチである。回転角センサ１７は、第２の軸１２０ｂの回りで回動可能なディスプレイユニット２００の回転角が、ＬＣＤ２０１の表示画面がコンピュータ１００の正面側を向く第１の位置（０度）またはディスプレイユニット２００の背面がコンピュータ１００の正面側を向く第２の位置（１８０度）のいずれに設定されているかを検出する。
【００４９】
アンテナ２１０には、共振周波数移動回路２１０Ａが結合されている。この共振周波数移動回路２１０Ａはアンテナ２１０の共振周波数をシフトするための上述のスイッチ回路である。アンテナ２１０および共振周波数移動回路２１０Ａの構成例を図８に示す。
【００５０】
図８に示されているように、共振周波数移動回路２１０Ａは、インダクタＬとキャパシタＣ１，Ｃ２とを含む。共振周波数移動回路２１０Ａは、制御信号ＣＯＮＴに応じて、アンテナ２１０に結合されるキャパシタをキャパシタＣ１とキャパシタＣ２との間で切り替える。キャパシタＣ１とキャパシタＣ２の容量は互いに異なっている。アンテナ２１０に結合されるキャパシタ、例えば、アンテナ２１０内に追加された無給電素子に結合されるキャパシタ、をキャパシタＣ１からキャパシタＣ２に切り替えることにより、アンテナ２１０の共振周波数帯域を上述の第１の共振周波数帯域から上述の第２の共振周波数帯域に切り替えることができる。
【００５１】
通常、２つの周波数帯域を同時にカバーする広帯域アンテナを実現しようとすると、その広帯域アンテナのサイズは非常に大きくなる。本実施形態では、アンテナ２１０は２つの周波数帯域を排他的にカバーする構成であるので、そのアンテナ２１０のサイズは比較的小さくて済む。
【００５２】
なお、アンテナ２１０として、第１の共振周波数帯域をカバーするアンテナ素子と第２の共振周波数帯域をカバーするアンテナ素子とを用意し、共振周波数移動回路２１０Ａによってこれらアンテナ素子の一方を選択するという構成を用いてもよい。
【００５３】
次に、図９を参照して、ユーティリティプログラム１１３Ａの機能について説明する。  ユーティリティプログラム１１３Ａは、画面イメージ回転制御部１１３Ｂとアンテナ制御部１１３Ｃとを含む。画面イメージ回転制御部１１３Ｂは、ディスプレイユニット２００の表示画面に表示される画面イメージの向きを変更する画面イメージ向き制御部として機能する。画面イメージ回転制御部１１３Ｂは、ユーザによる操作パネル１４内の所定のボタンの操作、または加速度センサ１５によって検出されるコンピュータ１００の向きに応じて、ディスプレイユニット２００の表示画面に表示される画面イメージの向きを変更する。所定のボタンの操作を示すイベント、および重力に対するコンピュータ１００の向きを示す情報は、ＥＣ／ＫＢＣ１６０、ＢＩＯＳ、およびＯＳを介して、ユーティリティプログラム１１３Ａに送られる。画面イメージ回転制御部１１３Ｂは、例えば表示ドライバを用いて、ＬＣＤ２０１に表示される画面イメージの向きを図９の（ａ），（ｂ），（ｃ），（ｄ）で示される４つの向きのいずれか一つに設定する。加速度センサ１５によって検出されるコンピュータ１００の向きに応じて画面イメージの向きを変更する場合においては、画面イメージの向きが重力の向きに整合するように、画面イメージの向きが上述の４つの向きの間で切り替えられる。
【００５４】
アンテナ制御部１１３Ｃは、共振周波数移動回路（スイッチ回路）２１０Ａを制御することによって、アンテナ２１０の共振周波数帯域をシフトさせるための共振周波数シフト部として機能する。アンテナ制御部１１３Ｃは、本コンピュータ１００が“タブレットスタイル”で使用され、且つ画面イメージの向きがその画面イメージの下方側にアンテナ２１０が位置する向きであるという条件が成立しているか否かを判定する。この条件が成立していると判定された場合、アンテナ制御部１１３Ｃは、共振周波数移動回路（スイッチ回路）２１０Ａを制御するために、アンテナ２１０の共振周波数のシフトを指示するコマンドをＥＣ／ＫＢＣ１６０に送信する。このコマンドの受信に応答して、ＥＣ／ＫＢＣ１６０は、上述の制御信号ＣＯＮＴを共振周波数移動回路２１０Ａに供給する。
【００５５】
なお、本コンピュータ１００が“タブレットスタイル”で使用されている場合においても、ユーザによるボタン操作に応じて、または重力に対するコンピュータ１００の向きに応じて、ＬＣＤ２０１に表示される画面イメージの向きを変更してもよい。
【００５６】
次に、図１０のフローチャートを参照して、コンピュータ１００の起動時にユーティリティプログラム１１３Ａによって実行される処理の手順を説明する。コンピュータ１００の起動された時、アンテナ２１０の共振周波数は上述の第１の共振周波数に設定されている（ステップＳ１１）。ユーティリティプログラム１１３Ａは、ＢＩＯＳを介して、ディスプレイパネル２００が開放状態または閉状態のいずれであるかを示すOpen/Close情報を取得する。さらに、ユーティリティプログラム１１３Ａは、ＢＩＯＳを介して、ディスプレイパネル２００の回転角度が０度または180度のいずれであるか示す回転角情報を取得する。
【００５７】
そして、ユーティリティプログラム１１３Ａは、Open/Close情報と回転角情報とに基づいて、本コンピュータ１００が“タブレットスタイル”に設定されているか否か、つまりディスプレイユニット２００がその背面が本体１００の上面を覆う位置に設定されているか否かを判定する。より詳しくは、ユーティリティプログラム１１３Ａは、まず、Open/Close情報に基づいて、ディスプレイユニット２００が閉じられているか否かを判定する（ステップＳ１２）。ディスプレイユニット２００が閉じられているならば（ステップＳ１２のＹＥＳ）、ユーティリティプログラム１１３Ａは、回転角情報に基づいて、ディスプレイパネル２００の回転角度（ＬＣＤ回転角度）が１８０度であるか否かを判定する（ステップＳ１３）。
【００５８】
ＬＣＤ回転角度が１８０度であるならば（ステップＳ１３のＹＥＳ）、ユーティリティプログラム１１３Ａは、ＬＣＤ２０１に表示される現在の画面イメージの向きが、画面イメージの下方側にアンテナ２１０が位置する所定の向きであるか否かを判定する（ステップＳ１４）。画面イメージの向きが所定の向きであるならば、つまり画面イメージの下端側がディスプレイユニット２００の右端側に向いているならば（ステップＳ１４のＹＥＳ）、ユーティリティプログラム１１３Ａは、共振周波数移動回路（スイッチ回路）２１０Ａを制御して、アンテナ２１０の共振周波数帯域を上述の第１の共振周波数帯域から上述の第２の共振周波数帯域にシフトさせる（ステップＳ１４）。
【００５９】
次に、図１１のフローチャートを参照して、コンピュータ１００の稼働中にＬＣＤ開閉イベントが発生した時にユーティリティプログラム１１３Ａによって実行される処理の手順を説明する。
【００６０】
コンピュータ１００の起動後、つまりコンピュータ１００の稼働中に、ユーザによってディスプレイパネル２００を開くまたは閉じる操作が行われると、パネルスイッチ１６かからの検出信号に応答して、ＢＩＯＳは、ディスプレイパネル２００が開かれたまたは閉じられたことを示すＬＣＤ開閉イベントをＯＳを通じてユーティリティプログラム１１３Ａに通知する。ユーティリティプログラム１１３Ａは、ＢＩＯＳからＬＣＤ開閉イベントを受信すると（ステップＳ２１）、ＢＩＯＳから、Open/Close情報と回転角情報とを取得する。
【００６１】
ユーティリティプログラム１１３Ａは、まず、Open/Close情報に基づいて、ディスプレイユニット２００が閉じられているか否かを判定する（ステップＳ２２）。ディスプレイユニット２００が閉じられているならば（ステップＳ２２のＹＥＳ）、ユーティリティプログラム１１３Ａは、回転角情報に基づいて、ディスプレイパネル２００の回転角度（ＬＣＤ回転角度）が１８０度であるか否かを判定する（ステップＳ２３）。
【００６２】
ＬＣＤ回転角度が１８０度であるならば（ステップＳ２３のＹＥＳ）、ユーティリティプログラム１１３Ａは、ＬＣＤ２０１に表示される現在の画面イメージの向きが、画面イメージの下方側にアンテナ２１０が位置する所定の向きであるか否かを判定する（ステップＳ２４）。画面イメージの向きが所定の向きであるならば、つまり画面イメージの下端側がディスプレイユニット２００の右端側に向いているならば（ステップＳ２４のＹＥＳ）、ユーティリティプログラム１１３Ａは、共振周波数移動回路（スイッチ回路）２１０Ａを制御して、アンテナ２１０の共振周波数帯域を上述の第１の共振周波数帯域から上述の第２の共振周波数帯域にシフトさせる（ステップＳ２５）。
【００６３】
次に、図１２のフローチャートを参照して、コンピュータ１００の稼働中に画面イメージの向きが変更された時にユーティリティプログラム１１３Ａによって実行される処理の手順を説明する。
【００６４】
ユーティリティプログラム１１３Ａは、ユーザによるボタン操作、または加速度センサ１５によって検出されるコンピュータ１００の向きの変化に応じて、画面イメージの向きを変更する（ステップＳ３１）。この時、ユーティリティプログラム１１３Ａは、まず、変更された画面イメージの向きが、その画面イメージの下方側にアンテナ２１０が位置する所定の向きであるか否かを判定する（ステップＳ３２）。画面イメージの向きが所定の向きであるならば、つまり画面イメージの下端側がディスプレイユニット２００の右端側に向いているならば（ステップＳ３２のＹＥＳ）、ユーティリティプログラム１１３Ａは、ＢＩＯＳから、Open/Close情報と回転角情報とを取得する。
【００６５】
そして、ユーティリティプログラム１１３Ａは、Open/Close情報に基づいて、ディスプレイユニット２００が閉じられているか否かを判定する（ステップＳ３３）。ディスプレイユニット２００が閉じられているならば（ステップＳ３３のＹＥＳ）、ユーティリティプログラム１１３Ａは、回転角情報に基づいて、ディスプレイパネル２００の回転角度（ＬＣＤ回転角度）が１８０度であるか否かを判定する（ステップＳ３４）。
【００６６】
ＬＣＤ回転角度が１８０度であるならば（ステップＳ３４のＹＥＳ）、ユーティリティプログラム１１３Ａは、共振周波数移動回路（スイッチ回路）２１０Ａを制御して、アンテナ２１０の共振周波数帯域を上述の第１の共振周波数帯域から上述の第２の共振周波数帯域にシフトさせる（ステップＳ２５）。
【００６７】
図１０〜図１２を参照した説明では、共振周波数帯域を第１の共振周波数帯域から第２の共振周波数帯域にシフトさせる動作を主に説明したが、コンピュータ１００の使用形態が、画面イメージの下側にアンテナ２１０が位置するという使用形態から他の形態に変更された時には、ユーティリティプログラム１１３Ａは、共振周波数移動回路（スイッチ回路）２１０Ａを制御して、アンテナ２１０の共振周波数帯域を第２の共振周波数帯域から第１の共振周波数帯域にシフトさせる。
【００６８】
以上のように、本実施形態によれば、コンピュータ１００の使用形態に応じて、アンテナ２１０によってカバーされる周波数帯域が動的に変更される。よって、無線通信モジュール３１０の送信電力を抑制または無線通信モジュール３１０が送信信号を出力することを停止するといった制御を行うことなく、電波の輻射による人体への影響を低減することができる。
【００６９】
また、本実施形態では、送信周波数帯域が受信周波数帯域よりも低いことに着眼し、アンテナ２１０の共振周波数帯域を上げる方向にシフトしている。よって、第２の周波数帯域としては、第１の周波数帯域の一部にオーバーラップする周波数帯域を利用することが出来る。換言すれば、少ない共振周波数シフト量で、効率よくアンテナ２１０からの電波の輻射量を抑制することができる。
【００７０】
さらに、第２の共振周波数帯域内の低周波数側の端部領域の少なくとも一部が送信周波数帯域にオーバーラップするように第２の共振周波数帯域を規定することにより、共振周波数帯域のシフト後も、無線通信を継続して行うことが可能となる。
【００７１】
なお、本実施形態は、コンピュータ１００が“コンパーチブル型タブレットＰＣ”であ場合を例示して説明したが、本実施形態の構成は、“コンパーチブル型タブレットＰＣ”の本体３００内のシステムコンポーネントがディスプレイユニットの筐体内に含まれているいわゆる“ピュアタブレットＰＣ”にも適用することもできる。この場合、共振周波数のシフトは、ＬＣＤ２０１に表示される現在の画面イメージの向きが、画面イメージの下方側にアンテナ２１０が位置する所定の向きである場合に実行すればよい。
【００７２】
また、本実施形態では、アンテナ２１０のディスプレイユニット２００の右端に配置する場合を説明したが、アンテナ２１０を例えばディスプレイユニット２００の左端または上端に配置してもよい。
【００７３】
また、本実施形態のユーティリティプログラムの機能はハードウェアモジュールによって実現することも可能である。
【００７４】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００７５】
１００…コンピュータ、１１３Ａ…ユーティリティプログラム、１１３Ｂ…画面イメージ回転制御部、１１３Ｃ…アンテナ制御部、２００…ディスプレイユニット、２１０…アンテナ、２１０Ａ…共振周波数移動回路（スイッチ回路）、３１０…無線通信モジュール。
【図１】
2011119795.tif 000003
【図２】
2011119795.tif 000004
【図３】
2011119795.tif 000005
【図４】
2011119795.tif 000006
【図５】
2011119795.tif 000007
【図６】
2011119795.tif 000008
【図７】
2011119795.tif 000009
【図８】
2011119795.tif 000010
【図９】
2011119795.tif 000011
【図１０】
2011119795.tif 000012
【図１１】
2011119795.tif 000013
【図１２】
2011119795.tif 000014
【手続補正書】
【提出日】平成22年11月26日(2010.11.26)
【手続補正１】
【補正対象書類名】明細書
【補正対象項目名】０００９
【補正方法】変更
【補正の内容】
【０００９】
上述の課題を解決するために、本発明は、アンテナを具備する表示部を備えた情報処理装置であって、前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ手段と、前記第１の送信周波数帯域および前記第１の受信周波数帯域を用いて、信号を無線送信および無線受信する無線通信モジュールと、前記表示部の表示画面に表示される画面イメージの向きを変更する画面イメージ向き制御手段と、前記表示画面に表示される画面イメージの向きが、前記画面イメージの下方側に前記アンテナが位置する向きである場合、前記スイッチ手段を制御することによって前記アンテナの共振周波数帯域を前記第１の共振周波数帯域から前記第２の共振周波数帯域にシフトさせる共振周波数シフト手段とを具備する。
【手続補正２】
【補正対象書類名】明細書
【補正対象項目名】００１０
【補正方法】変更
【補正の内容】
【００１０】
また、本発明の情報処理装置は、本体と、前記本体に取り付けられ、アンテナを具備する表示部と、前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ手段と、前記第１の送信周波数帯域および前記第１の受信周波数帯域を用いて、信号を無線送信および無線受信する無線通信モジュールと、前記表示部の表示画面に表示される画面イメージの向きを変更する画面イメージ向き制御手段と、前記表示部が前記表示部の背面が前記本体の上面を覆う位置に設定され、且つ、前記表示画面に表示される画面イメージの向きが、前記画面イメージの下方側に前記アンテナが位置する向きであるという条件が成立しているか否かを判定し、前記条件が成立している場合、前記スイッチ手段を制御することによって前記アンテナの共振周波数帯域を前記第１の共振周波数帯域から前記第２の共振周波数帯域にシフトさせる共振周波数シフト手段とを具備する。
【手続補正３】
【補正対象書類名】特許請求の範囲
【補正対象項目名】全文
【補正方法】変更
【補正の内容】
【特許請求の範囲】
【請求項１】
アンテナを具備する表示部を備えた情報処理装置であって、
前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ手段と、
前記第１の送信周波数帯域および前記第１の受信周波数帯域を用いて、信号を無線送信および無線受信する無線通信モジュールと、
前記表示部の表示画面に表示される画面イメージの向きを変更する画面イメージ向き制御手段と、
前記表示画面に表示される画面イメージの向きが、前記画面イメージの下方側に前記アンテナが位置する向きである場合、前記スイッチ手段を制御することによって前記アンテナの共振周波数帯域を前記第１の共振周波数帯域から前記第２の共振周波数帯域にシフトさせる共振周波数シフト手段とを具備する情報処理装置。
【請求項２】
前記第２の共振周波数帯域内の低周波数側の端部領域の少なくとも一部は、前記第１の送信周波数帯域にオーバーラップしている請求項１記載の情報処理装置。
【請求項３】
前記第２の共振周波数帯域は第２の送信周波数帯域および第２の受信周波数帯域をさらに具備し、
前記無線通信モジュールは、さらに、前記第２の送信周波数帯域を介して信号を無線送信し、前記第２の受信周波数帯域を介して信号を無線受信するように構成されている請求項１記載の情報処理装置。
【請求項４】
重力に対する前記情報処理装置の向きを検出する加速度センサをさらに具備し、
前記画面イメージ向き制御手段は、前記検出された前記重力に対する前記情報処理装置の向きに従って前記画面イメージの向きを変更するように構成され、
前記共振周波数シフト手段は、前記変更される画面イメージの向きが、前記画面イメージの下方側に前記アンテナが位置する向きである場合、前記アンテナの共振周波数帯域を前記第１の共振周波数帯域から前記第２の共振周波数帯域にシフトさせることを特徴とする請求項１記載の情報処理装置。
【請求項５】
本体と、
前記本体に取り付けられ、アンテナを具備する表示部と、
前記アンテナの共振周波数帯域を、第１の送信周波数帯域および前記第１の送信周波数帯域よりも高い第１の受信周波数帯域をカバーする第１の共振周波数帯域と、前記第１の共振周波数帯域の一部にオーバーラップし且つ第１の共振周波数帯域よりも高い第２の共振周波数帯域との間で切り替えるスイッチ手段と、
前記第１の送信周波数帯域および前記第１の受信周波数帯域を用いて、信号を無線送信および無線受信する無線通信モジュールと、
前記表示部の表示画面に表示される画面イメージの向きを変更する画面イメージ向き制御手段と、
前記表示部が前記表示部の背面が前記本体の上面を覆う位置に設定され、且つ、前記表示画面に表示される画面イメージの向きが、前記画面イメージの下方側に前記アンテナが位置する向きであるという条件が成立しているか否かを判定し、前記条件が成立している場合、前記スイッチ手段を制御することによって前記アンテナの共振周波数帯域を前記第１の共振周波数帯域から前記第２の共振周波数帯域にシフトさせる共振周波数シフト手段とを具備する情報処理装置。
【請求項６】
前記第２の共振周波数帯域内の低周波数側の端部領域の少なくとも一部は、前記第１の送信周波数帯域にオーバーラップしている請求項５記載の情報処理装置。
【請求項７】
前記第２の共振周波数帯域は第２の送信周波数帯域および第２の受信周波数帯域をさらに具備し、
前記無線通信モジュールは、さらに、前記第２の送信周波数帯域を介して信号を無線送信し、前記第２の受信周波数帯域を介して信号を無線受信するように構成されている請求項５記載の情報処理装置。
【請求項８】
アンテナを具備する表示部を備え、第１の送信周波数帯域を用いて信号を無線送信し、前記第１の送信周波数帯域よりも高い第１の受信周波数帯域を用いて信号を無線受信する情報処理装置の動作を制御する制御方法であって、
前記表示部の表示画面に表示される画面イメージの向きを変更するステップと、
前記表示画面に表示される画面イメージの向きが、前記画面イメージの下方側に前記アンテナが位置する向きである場合、前記アンテナの共振周波数帯域を、前記第１の送信周波数帯域および前記第１の受信周波数帯域をカバーする第１の共振周波数帯域から、前記第１の共振周波数帯域の一部にオーバーラップし且つ第１の共振周波数帯域よりも高い第２の共振周波数帯域にシフトさせるステップとを具備する特徴とする制御方法。
【請求項９】
前記第２の共振周波数帯域内の低周波数側の端部領域の少なくとも一部は、前記第１の送信周波数帯域にオーバーラップしている請求項８記載の制御方法。
【請求項１０】
前記第２の共振周波数帯域は第２の送信周波数帯域および第２の受信周波数帯域をさらに具備し、
前記情報処理装置は、さらに、前記第２の送信周波数帯域を介して信号を無線送信し、前記第２の受信周波数帯域を介して信号を無線受信するように構成されている請求項８記載の制御方法。